(57)【要約】  水栓は、スパウトと、切替弁と、操作部と、オルタネート機構とを備え、切替弁は、第１の位置から第２の位置に移動する際に受ける水圧抵抗の方が第２の位置から第１の位置に移動する際に受ける水圧抵抗よりも小さくなる位置に設けられている。
2019188792.tif 000002
【特許請求の範囲】
【請求項１】
上流側流路と、前記上流側流路の下流で分岐する第１の下流側流路および第２の下流側流路と、前記上流側流路と前記第１および第２の下流側流路を接続する接続流路とを内部に形成し、軸方向に延びるスパウトと、
前記接続流路に設けられ、前記第１の下流側流路の入口を塞いで前記上流側流路と前記第２の下流側流路とを連通させる第１の位置と、前記第２の下流側流路の入口を塞いで前記上流側流路と前記第１の下流側流路とを連通させる第２の位置の間で移動可能な切替弁と、
前記切替弁を前記第１の位置と前記第２の位置のそれぞれの位置で保持する機構であって、前記第２の位置に向かって前記切替弁を付勢する付勢部材を有する位置保持機構と、
ユーザの操作によって前記第１の位置と前記第２の位置の間で前記切替弁を移動させる操作部と、を備え、
前記切替弁は、前記第１の位置から前記第２の位置に移動する際に受ける水圧抵抗の方が前記第２の位置から前記第１の位置に移動する際に受ける水圧抵抗よりも小さくなる位置に設けられている、水栓。
【請求項２】
前記上流側流路の流路方向から見た断面において、前記第１の下流側流路の入口の中心は、前記第２の下流側流路の入口の中心よりも、前記上流側流路の出口の中心に対して遠い位置にある、請求項１に記載の水栓。
【請求項３】
前記上流側流路の流路方向から見た断面において、前記第１の下流側流路の入口の中心の方が前記第２の下流側流路の入口の中心よりも上方にある、請求項１又は２に記載の水栓。
【請求項４】
前記第１の下流側流路と前記第２の下流側流路は上下に並んで配置される、請求項１から３のいずれか１つに記載の水栓。
【請求項５】
前記切替弁は、前記第１の位置で受ける水圧抵抗の方が前記第２の位置で受ける水圧抵抗よりも小さくなる位置に設けられる、請求項１から４のいずれか１つに記載の水栓。
【発明の詳細な説明】
【技術分野】
【０００１】
本発明は、水栓に関する。
【背景技術】
【０００２】
従来より、台所、洗面所などで使用される水栓が開示されている（例えば、特許文献１参照）。特許文献１に開示される水栓は、吐水口を形成するスパウトと、スパウトの先端に取り付けられたプッシュボタンとを備える。プッシュボタンの操作によって、ストレート吐水とシャワー吐水を切り替えることができる。【０００３】
スパウトの内部には、プッシュボタンを前方に向かって付勢するバネが設けられている。ユーザがプッシュボタンを押すと、プッシュボタンがバネの付勢力に抗して前方位置から後方位置に移動され、後方位置に保持される。このときシャワー吐水が行われる。ユーザがさらにプッシュボタンを押すと、バネの付勢力によってプッシュボタンが後方位置から前方位置に戻り、前方位置に保持される。このときストレート吐水が行われる。
【先行技術文献】
【特許文献】
【０００４】
【特許文献１】特開２００５−１６０３２号公報
【発明の概要】
【発明が解決しようとする課題】
【０００５】
特許文献１の構成では、バネの付勢力を利用してプッシュボタンを戻すため、バネの付勢力が不十分な場合にはプッシュボタンが戻らず、正常に動作しない場合がある。これを防ぐために、バネの付勢力を余分に大きくする等の対応が必要であった。このように、バネの付勢力を利用してプッシュボタンを動作させる機構において、プッシュボタンを正常に動作させることに関して改善の余地があるといえる。【０００６】
従って、本発明の目的は、上記問題を解決することにあって、バネの付勢力を利用してプッシュボタンを動作させる機構においてプッシュボタンをより正常に動作させることができる水栓を提供することにある。
【課題を解決するための手段】
【０００７】
上記目的を達成するために、本発明の水栓は、上流側流路と、前記上流側流路の下流で分岐する第１の下流側流路および第２の下流側流路と、前記上流側流路と前記第１および第２の下流側流路を接続する接続流路とを内部に形成し、軸方向に延びるスパウトと、前記接続流路に設けられ、前記第１の下流側流路の入口を塞いで前記上流側流路と前記第２の下流側流路とを連通させる第１の位置と、前記第２の下流側流路の入口を塞いで前記上流側流路と前記第１の下流側流路とを連通させる第２の位置の間で移動可能な切替弁と、前記切替弁を前記第１の位置と前記第２の位置のそれぞれの位置で保持する機構であって、前記第２の位置に向かって前記切替弁を付勢する付勢部材を有する位置保持機構と、ユーザの操作によって前記第１の位置と前記第２の位置の間で前記切替弁を移動させる操作部と、を備え、前記切替弁は、前記第１の位置から前記第２の位置に移動する際に受ける水圧抵抗の方が前記第２の位置から前記第１の位置に移動する際に受ける水圧抵抗よりも小さくなる位置に設けられている。
【発明の効果】
【０００８】
本発明の水栓によれば、プッシュボタンをより正常に動作させることができる。
【図面の簡単な説明】
【０００９】
【図１】実施形態における水栓の概略構成を示す図
【図２】実施形態における水栓の概略構成を示す図
【図３】実施形態におけるスパウトの側面図
【図４】実施形態におけるスパウトの下面図
【図５】図３のＡ−Ａ断面図
【図６】図４のＢ−Ｂ断面図
【図７】実施形態における切替弁の周辺を拡大した縦断面図
【図８Ａ】第１の位置にある切替弁およびその周辺を示す縦断面図
【図８Ｂ】第２の位置にある切替弁およびその周辺を示す縦断面図
【図９】上流側流路の流路方向から見たときのスパウトの内部を示す図
【図１０】変形例における切替弁およびその周辺を示す断面図
【図１１】変形例における流量調整板を示す斜視図
【図１２】別の変形例における流量調整板を示す斜視図
【図１３】更なる別の変形例における流量調整板を示す斜視図
【発明を実施するための形態】
【００１０】
以下に、本発明に係る実施形態を図面に基づいて詳細に説明する。なお、この実施形態によって本発明が限定されるものではない。
【００１１】
（実施形態）
図１、図２は、実施形態における水栓２の概略斜視図である。図１は、水栓２のスパウト６が収納された状態を示し、図２は、スパウト６が前方に引き出された状態を示す。図３、図４は、スパウト６の概略構成を示す図である。図３は、スパウト６の側面図であり、図４は、スパウト６の下面図である。
【００１２】
図１、図２に示す水栓２は、台所、洗面所などで使用されるシングルレバー式の水栓装置である。水栓２は、設置台（図示せず）に立設される本体部４と、レバー５と、スパウト６と、プッシュボタン１０と、吐水部１２とを備える。吐水部１２は、湯水を吐水する複数の散水孔を形成した部材であり、「散水板」、「シャワーフェイス」とも称する。
【００１３】
本体部４は、レバー５およびスパウト６を一体的に支持する部材である。スパウト６の先端部にはプッシュボタン１０および吐水部１２が取り付けられている。スパウト６は、「吐水管」、「シャワーヘッド」とも称する。スパウト６は、本体部４に接続される基端側から、プッシュボタン１０を取り付けている先端側に向かって軸方向Ｃに延びる。
【００１４】
ユーザがレバー５を操作することで、吐水部１２からの吐水／止水の切替え、並びに、吐水温度および吐水量の調節を行うことができる。また、ユーザがプッシュボタン１０をプッシュ操作することで、吐水部１２からの吐水をシャワー吐水とストレート吐水の間で切り替えることができる。プッシュボタン１０は、ユーザの操作によって吐水を切り替えるための操作部の一例である。吐水の切替えに関する詳細な機構については後述する。
【００１５】
図３、図４に示したスパウト６の内部構成について、図５、図６を用いて説明する。図５は、図３のＡ−Ａ断面図であり、図６は、図４のＢ−Ｂ断面図である。
【００１６】
図５、図６に示すように、スパウト６の内部には流路形成部１４が設けられている。流路形成部１４は、前述した吐水部１２から吐水するための湯水の流路を形成する部材である。流路形成部１４に対しては、上流側にある湯水供給源（図示せず）から、別の流路形成部３８を介して湯水が供給される。
【００１７】
図６に示すように、流路形成部１４は管部１５を備える。管部１５は、第１の下流側流路１６と第２の下流側流路１８を内部に形成する管状の部材である。第１の下流側流路１６はストレート吐水用の流路であり、第２の下流側流路１８はシャワー吐水用の流路である。第１の下流側流路１６と第２の下流側流路１８はともに吐水部１２の吐水孔に接続されている。
【００１８】
流路形成部１４はさらに、第１の下流側流路１６と第２の下流側流路１８を選択的に切り替えるための流路切替部２０を備える。流路切替部２０は、切替弁２２（図６）と、弁保持部２４と、カム機構２６（図５）と、リンク２８と、位置保持機構３０とを備える。
【００１９】
切替弁２２は、第１の下流側流路１６および第２の下流側流路１８のいずれか一方を選択的に閉じる弁体である。本実施形態の切替弁２２は、スパウト６の軸方向Ｃを中心とする回転運動が可能に設けられた弁玉である。切替弁２２は、第１の下流側流路１６の入口１６Ａを閉じる位置（第１の位置）と、第２の下流側流路１８の入口１８Ａを閉じる位置（第２の位置）の間で回転可能である。図６では、切替弁２２が第１の位置にある状態が示される。この状態では、第２の下流側流路１８を通じて吐水部１２からシャワー吐水が行われる。
【００２０】
弁保持部２４は、切替弁２２を保持する部材である。弁保持部２４はカム機構２６（図５）に接続されている。カム機構２６は、プッシュボタン１０の押し込みによる軸方向Ｃの直線運動を、スパウト６の軸方向Ｃを中心とする回転運動に変換する部材である。カム機構２６はリンク２８の第２リンク２８ｂに接続されている。
【００２１】
リンク２８は、前述したカム機構２６と、後述する位置保持機構３０を互いに接続する部材である。リンク２８はプッシュボタン１０の内側に取り付けられており、プッシュボタン１０の押し込みに応じてスパウト６の軸方向Ｃに沿って移動する。リンク２８は２つの分岐する枝部として、第１リンク２８ａおよび第２リンク２８ｂを備える。第１リンク２８ａは位置保持機構３０に接続され、第２リンク２８ｂはカム機構２６に接続される。
【００２２】
位置保持機構３０は、プッシュボタン１０の押込み状態と非押込み状態の２つの状態をそれぞれ維持する機構である。すなわち、位置保持機構３０は切替弁２２を第１の位置と第２の位置のそれぞれの位置で保持する機能を有する。位置保持機構は「オルタネート機構」と称してもよい。図５、図６に示す切替弁２２の第１の位置はプッシュボタン１０の押込み状態に対応し、切替弁２２の第２の位置はプッシュボタン１０の非押込み状態に対応する。
【００２３】
図５に示すように、位置保持機構３０は、バネ３２Ａ、３２Ｂなどを含むノック式の機構を備える。本実施形態のバネ３２Ａ、３２Ｂは、切替弁２２を第２の位置に向かって付勢するように機能する付勢部材の一例である。図６に示す第１の位置では、バネ３２Ａ、３２Ｂが切替弁２２を第２の位置に向かって付勢するが、位置保持機構３０によって第１の位置に維持される。
【００２４】
上述した構成において、切替弁２２は非押込み状態である第２の位置にあるときに、プッシュボタン１０のプッシュ操作によってバネ３２Ａ、３２Ｂの付勢力に抗して第１の位置へ移動する。第１の位置では、吐水部１２からシャワー吐水が行われる。この状態からさらにプッシュボタン１０をプッシュ操作すると、位置保持機構３０による切替弁２２の状態維持が解除される。これにより、切替弁２２はバネ３２Ａ、３２Ｂの付勢力を利用して第２の位置に移動する。第２の位置では、ストレート吐水が行われる。このようなプッシュボタン１０のプッシュ操作によって、切替弁２２の位置を第１の位置と第２の位置の間で相互に切り替えて、シャワー吐水とストレート吐水を切り替えることができる。
【００２５】
上述した切替弁２２の周辺の構成について、図７を用いて説明する。図７は、切替弁２２の周辺を拡大した縦断面図である。
【００２６】
図７に示すように、スパウト６の内部には、第１の下流側流路１６および第２の下流側流路１８に加えて、上流側流路３４と、接続流路３６とが設けられている。
【００２７】
上流側流路３４は、スパウト６内の流路における最も上流に設けられた流路である。上流側流路３４は接続流路３６の上流側に設けられるとともに、接続流路３６に接続されている。上流側流路３４は別の流路形成部３８によって形成されている。上流側流路３４に対して、前述した本体部４（図１、図２）から温度および流量が調節された湯水が供給される。
【００２８】
接続流路３６は、上流側流路３４と第１の下流側流路１６および第２の下流側流路１８とを接続する流路である。接続流路３６は、上流側流路３４と第１の下流側流路１６および第２の下流側流路１８との間に設けられている。図７に示すように、接続流路３６には切替弁２２および弁保持部２４が配置されている。図７では、切替弁２２が第２の下流側流路１８を塞ぐ第２の位置にある状態が示される。
【００２９】
図７に示すように、上流側流路３４と接続流路３６の境界には、オリフィス３９が形成されている。オリフィス３９は、流路形成部３８の内周壁から内側に突出したオリフィス板４０によって形成される。オリフィス３９は上流側流路３４の出口３４Ａを構成する。
【００３０】
スパウト６内に湯水が流れている状態において、弁保持部２４の側面２４Ａには上流側流路３４からの水流Ｗが当たる。弁保持部２４によって保持されている切替弁２２に対して、第１の位置と第２の位置の間で移動する際の水圧抵抗Ｒがかかる。
【００３１】
切替弁２２が第１の位置と第２の位置のそれぞれの位置にあるときに受ける水圧抵抗Ｒについて、図８Ａ、図８Ｂを用いて説明する。図８Ａは、切替弁２２が第１の位置にある状態を示し、図８Ｂは、切替弁２２が第２の位置にある状態を示す。
【００３２】
本実施形態では、図８Ａに示す第１の位置で受ける水圧抵抗Ｒ１が、図８Ｂに示す第２の位置で受ける水圧抵抗Ｒ２よりも小さくなるように設計している。具体的には、複数の流路１６、１８、３４の位置関係、並びに、切替弁２２および弁保持部２４の位置を予め所定の位置に設定することで実現している。このような設定により、切替弁２２が第１の位置から第２の位置で移動する際に受ける水圧抵抗（≒Ｒ１）を、第２の位置から第１の位置で移動する際に受ける水圧抵抗（≒Ｒ２）よりも小さくしている。前述したように、切替弁２２が第１の位置から第２の位置へ移動する際には、位置保持機構３０のバネ３２Ａ、３２Ｂの付勢力を利用して切替弁２２が移動する。このときに切替弁２２が受ける水圧抵抗（≒Ｒ１）を小さく設定しているため、バネ３２Ａ、３２Ｂの付勢力が小さい場合でも切替弁２２を移動させて戻すことができる。これにより、プッシュボタン１０を正常に動作させることができる。
【００３３】
一方で、切替弁２２が第２の位置から第１の位置へ移動する際には、バネ３２Ａ、３２Ｂの付勢力に抗してプッシュボタン１０が押されることで、切替弁２２が移動する。このときの水圧抵抗（≒Ｒ２）は大きく設定されているが、バネ３２Ａ、３２Ｂの付勢力を利用する場合と異なり、ユーザが押す力を大きくすれば切替弁２２を確実に移動させることができる。
【００３４】
第１の位置および第２の位置での水圧抵抗Ｒ１、Ｒ２を算出・測定するには、例えば、切替弁２２を移動させる際に要したプッシュボタン１０の押圧力（最大値）をフォースゲージで測定した値を水圧抵抗Ｒ１、Ｒ２と読み替えることで、間接的に算出してもよい。フォースゲージは一般的な市販のフォースゲージを用いてもよい。あるいは、接続流路３６に圧力計を設け、水圧抵抗Ｒ１、Ｒ２を直接的に算出してもよい。
【００３５】
上述したような水圧抵抗の関係を実現するために、本実施形態の水栓２では、図９に示すような位置関係の工夫を行っている。図９は、上流側流路３４の流路方向（スパウト６の軸方向Ｃ）から見たときのスパウト６の内部を示す図である。
【００３６】
図９に示すように、上流側流路３４の出口３４Ａ（オリフィス３９）は、断面が円形状に形成されている。上流側流路３４の出口３４Ａには中心３４Ｃが存在する。上流側流路３４の出口３４Ａの前方（スパウト６の先端側）には、接続流路３６を介して第１の下流側流路１６の入口１６Ａおよび第２の下流側流路１８の入口１８Ａが位置している。入口１６Ａおよび入口１８Ａはともに断面が円形状に形成されている。入口１６Ａには中心１６Ｃが存在し、入口１８Ａには中心１８Ｃが存在する。
【００３７】
図９に示すように、入口１６Ａの中心１６Ｃは、出口３４Ａの中心３４Ｃの上方に位置している。一方で、入口１８Ａの中心１８Ｃは、出口３４Ａの中心３４Ｃの下方に位置している。
【００３８】
中心１６Ｃから中心３４Ｃまでの距離（断面距離、高さ距離）Ｄ１は、中心３４Ｃから中心１８Ｃまでの距離（断面距離、高さ距離）Ｄ２よりも長く設定されている。このような設定によれば、図９に示す縦断面において、上流側流路３４の出口３４Ａに対して、第１の下流側流路１６の入口１６Ａが、第２の下流側流路１８の入口１８Ａよりも遠くに位置する。これにより、切替弁２２が第１の下流側流路１６の入口１６Ａを塞ぐ第１の位置では、第２の位置と比較して弁保持部２４の側面２４Ａに水流Ｗが直接的に当たる面積が小さくなる。このため、切替弁２２が受ける水圧抵抗Ｒも小さくなる。このような中心１６Ｃ、１８Ｃ、３４Ｃの位置の設定により、図８Ａに示す第１の位置で受ける水圧抵抗Ｒ１が、図８Ｂに示す第２の位置で受ける水圧抵抗Ｒ２よりも小さくなる構成を簡単に実現することができる。
【００３９】
また、第１の下流側流路１６が第２の下流側流路１８よりも上方に位置しているため、第１の位置から第２の位置に切替弁２２が移動する際には、重力による推進力を受けることができる。バネ３２Ａ、３２Ｂの付勢力に加えて重力の推進力を利用できるため、バネ３２Ａ、３２Ｂの付勢力がさらに小さい場合でも切替弁２２を確実に移動させることができる。これにより、プッシュボタン１０を正常に動作させることができる。
【００４０】
さらに、第１の下流側流路１６と第２の下流側流路１８を上下に並べて配置しているため、スパウト６の幅方向Ｘの寸法を短くすることができる。これにより、スパウト６を細くすることができ、水栓２のデザイン性を向上させることができる。
【００４１】
上述したように、本実施形態の水栓２は、スパウト６と、プッシュボタン１０と、切替弁２２と、位置保持機構３０とを備える。スパウト６は、上流側流路３４と、第１の下流側流路１６および第２の下流側流路１８と、接続流路３６とを内部に形成する。切替弁２２は、第１の下流側流路１６の入口１６Ａを塞いで上流側流路３４と第２の下流側流路１８とを連通させる第１の位置と、第２の下流側流路１８の入口１８Ａを塞いで上流側流路３４と第１の下流側流路１６とを連通させる第２の位置の間で移動可能である。プッシュボタン１０は、ユーザのプッシュ操作によって第１の位置と第２の位置の間で切替弁２２を移動させる操作部である。位置保持機構３０は、切替弁２２を第１の位置と第２の位置のそれぞれの位置で保持する機構であって、切替弁２２を第２の位置に向かって付勢するバネ３２Ａ、３２Ｂを有する。切替弁２２は、第１の位置から第２の位置に移動する際に受ける水圧抵抗（≒Ｒ１）の方が第２の位置から第１の位置に移動する際に受ける水圧抵抗（≒Ｒ２）よりも小さくなる位置に設けられている。
【００４２】
このような構成によれば、切替弁２２を第２の位置から第１の位置に移動させる際にはバネ力に抗してプッシュボタン１０を押す一方で、第１の位置から第２の位置に戻る際にはバネ３２Ａ、３２Ｂの付勢力を利用して切替弁２２が戻る。バネ３２Ａ、３２Ｂの付勢力を利用して切替弁２２が戻る際に受ける水圧抵抗（≒Ｒ１）は、切替弁２２が逆に移動する場合の水圧抵抗（≒Ｒ２）よりも小さく設定されているため、当該水圧抵抗を上回るように付勢力を設定すれば切替弁２２を確実に戻せる。このような構成により、バネ力を小さく設定しても切替弁２２を確実に戻すことができ、バネ３２Ａ、３２Ｂの付勢力を利用してプッシュボタン１０を動作させる機構において、プッシュボタン１０を正常に動作させることができる。
【００４３】
また本実施形態の水栓２によれば、上流側流路３４の流路方向から見た断面において、第１の下流側流路１６の入口１６Ａの中心１６Ｃは、第２の下流側流路１８の入口１８Ａの中心１８Ｃよりも、上流側流路３４の出口３４Ａの中心３４Ｃに対して遠い位置にある。
【００４４】
このような構成によれば、第１の下流側流路１６の入口１６Ａの方が第２の下流側流路１８の入口１８Ａよりも上流側流路３４の出口３４Ａから遠くなり、入口１６Ａを塞ぐ第１の位置にある切替弁２２が受ける水圧抵抗Ｒ１も小さくなる。これにより、切替弁２２が第１の位置から第２の位置に移動する際に受ける水圧抵抗（≒Ｒ１）の方が、第２の位置から第１の位置に移動する際に受ける水圧抵抗（≒Ｒ２）よりも小さくなる構成を簡単に実現することができる。
【００４５】
また本実施形態の水栓２によれば、上流側流路３４の流路方向から見た断面において、第１の下流側流路１６の入口１６Ａの中心１６Ｃの方が第２の下流側流路１８の入口１８Ａの中心１８Ｃよりも上方にある。
【００４６】
このような構成によれば、切替弁２２が第１の下流側流路１６を塞ぐ第１の位置から第２の下流側流路１８を塞ぐ第２の位置に移動する際には、バネの付勢力に加えて重力による推進力を受けることができる。これにより、バネの付勢力をさらに小さくしても切替弁２２を確実に移動させることができ、プッシュボタン１０を正常に動作させることができる。
【００４７】
また本実施形態の水栓２によれば、第１の下流側流路１６と第２の下流側流路１８は上下に並んで配置される。
【００４８】
このように、２つの下流側流路１６、１８を上下に並んで配置することで、スパウト６の横寸法を小さくすることができる。これにより、水栓２のデザイン性を向上させることができる。
【００４９】
また本実施形態の水栓２によれば、切替弁２２は、第１の位置で受ける水圧抵抗Ｒ１の方が第２の位置で受ける水圧抵抗Ｒ２よりも小さくなる位置に設けられる。
【００５０】
このような構成によれば、第１の位置から第２の位置に移動する際に受ける水圧抵抗（≒Ｒ１）の方が第２の位置から第１の位置に移動する際に受ける水圧抵抗（≒Ｒ２）よりも小さくなる構成を簡単に実現することができる。
【００５１】
なお、本発明は前記実施形態に限定されるものではなく、その他種々の態様で実施できる。例えば、実施形態では、水栓２がシングルレバー式の水栓装置である場合について説明したが、このような場合に限らず、シングルレバー式以外の水栓装置であってもよい。
【００５２】
また実施形態では、第１の下流側流路１６の入口１６Ａの中心１６Ｃを、第２の下流側流路１８の入口１８Ａの中心１８Ｃよりも、上流側流路３４の出口３４Ａの中心３４Ｃに対して遠い位置に設ける場合について説明したが、このような場合に限らない。中心１６Ｃから中心３４Ｃまでの距離Ｄ１と中心３４Ｃから中心１８Ｃまでの距離Ｄ２を同じに設定してもよい。このような場合であっても、第１の下流側流路１６の入口１６Ａと第２の下流側流路１８の入口１８Ｂの上下関係を維持する、あるいは水流Ｗを受ける弁保持部２４の側面２４Ａの形状を変更する等して、図８Ａ、図８Ｂに示す水圧抵抗の大小関係を実現してもよい。
【００５３】
また実施形態では、位置保持機構３０のバネ３２Ａ、３２Ｂとして、２つのバネ３２Ａ、３２Ｂを設ける場合について説明したが、バネの数、場所などについてはこれに限らない。第１の位置と第２の位置のいずれか一方に向かって切替弁２２を付勢する機能があれば、任意のバネを用いてもよい。
【００５４】
また実施形態では、切替弁２２を付勢する付勢部材としてバネ３２Ａ、３２Ｂを例示したが、このような場合に限らない。切替弁２２を付勢する機能を有するものであれば、バネ以外の任意の形態の付勢部材を用いてもよい。
【００５５】
また実施形態では、切替弁２２の位置をユーザが切り替える操作部の一例としてプッシュボタン１０を例示したが、このような場合に限らない。プッシュ操作以外の操作（例えば、ねじり、回転）によって切替弁２２の位置を切り替えるものであってもよく、任意の形態の操作部を用いてもよい。
【００５６】
また実施形態では、上流側流路３４に通水される水流Ｗを弁保持部２４の側面部２４Ａに直接当てる場合について説明したが、このような場合に限らない。例えば、図１０に示す変形例のように流量調整板５２を設けてもよい。図１０に示す流量調整板５２は、図１１に示すように複数の貫通孔５４を厚み方向に形成した円板状の部材である。図１０に示す例では、流量調整板５２はオリフィス板４０に隣接する位置に設けられている。流量調整板５２は、図１０に示す位置に差し込まれた状態でホース（図示せず）で押さえて固定されるが、このような流路形成部３８と別体である場合に限らず、流路形成部３８と一体的に構成されてもよい。このような構成によれば、上流側流路３４に通水される水流Ｗの流量が流量調整板５２を通過する際に低減される。これにより、弁保持部２４の側面部２４Ａに付与される水圧抵抗Ｒ２が過剰に大きくなることを防止することができる。このため、プッシュボタン１０のプッシュ操作によって切替弁２２の位置を容易に切り替えることができる。
【００５７】
流量調整板５２は、図１０、図１１に示すような構成に限らず、水流Ｗの流量を低減できるものであれば任意の構成を採用してもよい。例えば、図１２、図１３に示すような流量調整板６２、７２を採用してもよい。図１２に示す流量調整板６２は、複数の貫通孔６４を厚み方向に貫通させた円板状の部材であり、図１３に示す流量調整板７２も同様に、複数の貫通孔７４を厚み方向に貫通させた円板状の部材である。このような構成によれば、上流側流路３４に通水される水流Ｗの流量を流量調整板６２あるいは流量調整板７２を通過する際に低減することができる。これにより、水圧抵抗Ｒ２が過剰に大きくなることを防止することができ、プッシュボタン１０のプッシュ操作によって切替弁２２の位置を容易に切り替えることができる。
【００５８】
なお、上記様々な形態を適宜組み合わせることにより、それぞれの有する効果を奏するようにすることができる。
【００５９】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００６０】
本発明は、水栓に有用である。
【符号の説明】
【００６１】
２  水栓
４  本体部
５  レバー
６  スパウト
８  吐水口
１０  プッシュボタン（操作部）
１２  吐水部
１４  流路形成部
１５  管部
１６  第１の流路
１６Ａ  入口
１６Ｃ  中心
１８  第２の流路
１８Ａ  入口
１８Ｃ  中心
２０  流路切替部
２２  切替弁
２４  弁保持部
２６  カム機構
２８  リンク
３０  位置保持機構（オルタネート機構）
３２Ａ、３２Ｂ  バネ（付勢部材）
３４  上流側流路
３４Ａ  出口
３４Ｃ  中心
３６  接続流路
３８  別の流路形成部
３９  オリフィス
４０  オリフィス板
５２  流量調整板
５４  貫通孔
６２  流量調整板
６４  貫通孔
７２  流量調整板
７４  貫通孔
Ｒ１、Ｒ２  水圧抵抗
Ｗ  水流
Ｄ１、Ｄ２  距離
Ｘ  幅方向
【図１】
2019188792.tif 000003
【図２】
2019188792.tif 000004
【図３】
2019188792.tif 000005
【図４】
2019188792.tif 000006
【図５】
2019188792.tif 000007
【図６】
2019188792.tif 000008
【図７】
2019188792.tif 000009
【図８Ａ】
2019188792.tif 000010
【図８Ｂ】
2019188792.tif 000011
【図９】
2019188792.tif 000012
【図１０】
2019188792.tif 000013
【図１１】
2019188792.tif 000014
【図１２】
2019188792.tif 000015
【図１３】
2019188792.tif 000016
【国際調査報告】
2019188792.tif 000017
2019188792.tif 000018
2019188792.tif 000019
2019188792.tif 000020